(57)【特許請求の範囲】
【請求項１】
扉に取り付けた摺動可能なスライダーと、自動販売機本体に固定されスライダーと係合可能なスライダーロック片と、スライダーに連結された操作ハンドルと、操作ハンドルを扉内の収納位置から扉外の突出位置まで駆動する駆動機構と、駆動機構を自動販売機の外部から制御するリモートコントローラーとを備え、自動販売機本体は非接触式受電部を有し、リモートコントローラーは電源及び非接触式給電部を有し、リモートコントローラーの電源から自動販売機内に非接触式に電力を供給することを特徴とする自動販売機の扉ロック装置。
【請求項２】
扉に取り付けた摺動可能なスライダーと、自動販売機本体に固定されスライダーと係合可能なスライダーロック片と、スライダーに連結されスライダーを駆動する駆動機構と、駆動機構を自動販売機の外部から制御するリモートコントローラーとを備え、自動販売機本体は非接触式受電部を有し、リモートコントローラーは電源及び非接触式給電部を有し、リモートコントローラーの電源から自動販売機内に非接触式に電力を供給することを特徴とする自動販売機の扉ロック装置。
【請求項３】
自動販売機本体の非接触式受電部とリモートコントローラーの非接触式給電部とが電磁誘導結合されていることを特徴とする請求項１又は２記載の自動販売機の扉ロック装置。
【発明の詳細な説明】
【０００１】
【発明の属する技術分野】
本発明は、自動販売機の扉ロック装置に関する。
【０００２】
【従来の技術】
自動販売機の正面に設けられた扉は、その内部を保護する機能を有し、防犯上ロック機構を備えている。図３はその一例を示すもので、自動販売機本体１の扉２はその内部に上下方向に摺動するスライダー３を有し、このスライダー３に設けられた孔４には操作ハンドル５の係合ピン６が嵌り込んでいる。操作ハンドル５は常時は扉内部に収納された状態でロックされ取出して操作することはできない。操作ハンドル５は駆動機構７を有し、この駆動機構７が駆動されることにより操作ハンドル５は扉2内に設けた保持枠８内の収納位置から矢印Ａで示すように扉前面に飛出し、操作可能位置に移動する。駆動機構７の駆動はリモートコントローラー９により外部から遠隔制御される。駆動機構７はモータ、ソレノイド等により構成し、その駆動により操作ハンドル５を保持枠８からポップアップさせることができる。スライダー３はその溝１０により自動販売機本体１に固定されたスライダーロック片１１と係合し得るようになっており、操作ハンドル５が扉２の保持枠８内に収納されている状態ではスライダー３の自重で溝１０とロック片１１とは係合し合い、扉２は本体１にロックされた状態にある。前述のように操作ハンドル５の駆動機構７をリモートコントローラー９により制御すると操作ハンドル５は扉の前方に飛出すから操作ハンドル５を操作して矢印Ｂで示すように回転させることができ、その結果スライダー３は矢印Ｃで示すように上方に持ち上げられ、溝１０からスライダーロック片１１を抜き出すことができるから、扉２を開くことができる。このように操作ハンドル５は通常扉内に収納されているからリモートコントローラーを使用しない限り扉を開放することは不可能である。また、スライダーを操作する操作ハンドルを設けず、スライダーに直接モータ等の駆動機構を連結し、この駆動機構をリモートコントローラーにより制御する方式の扉ロック装置も存在し、この場合は扉の表面には何も露出していない。これらの扉ロック装置は鍵シリンダーを有しないから、鍵周りを手掛かりにして自動販売機を破壊し、内部の現金、商品を盗むという行為は抑制することができる。しかしながら、リモートコントローラーを使用し、操作ハンドル又はスライダーの駆動機構を電気的に制御するものである以上、電源が確保されていなければならず、もし停電という事態が発生すれば、扉の開閉制御は不可能となる。
【０００３】
【発明が解決しようとする課題】
本発明の課題は、リモートコントローラーにより扉の開閉を制御する式の自動販売機の扉ロック装置を、電源停止の場合にも対応し得るようにすることにある。
【０００４】
【課題を解決するための手段】
上述の課題を解決するため、本発明によれば、扉に取り付けた摺動可能なスライダーと、自動販売機本体に固定されスライダーと係合可能なスライダーロック片と、スライダーに連結された操作ハンドルと、操作ハンドルを扉内の収納位置から扉外の突出位置まで駆動する駆動機構と、駆動機構を自動販売機の外部から制御するリモートコントローラーとを備え、自動販売機本体は非接触式受電部を有し、リモートコントローラーは電源及び非接触式給電部を有し、リモートコントローラーの電源から自動販売機内に非接触式に電力を供給する。
【０００５】
また本発明によれば、扉に取り付けた摺動可能なスライダーと、自動販売機本体に固定されスライダーと係合可能なスライダーロック片と、スライダーに連結されスライダーを駆動する駆動機構と、駆動機構を自動販売機の外部から制御するリモートコントローラーとを備え、自動販売機本体は非接触式受電部を有し、リモートコントローラーは電源及び非接触式給電部を有し、リモートコントローラーの電源から自動販売機内に非接触式に電力を供給する。
【０００６】
【発明の実施の形態】
本発明においては、扉に取り付け上下方向に摺動可能なスライダーと、自動販売機本体に固定されスライダーと係合してスライダーを固定し得るスライダーロック片と、スライダーに連結されスライダーを上下方向に移動し得る操作ハンドルと、操作ハンドルに取り付けられ操作ハンドルを扉内の収納位置から扉外の突出位置まで移動させ得る駆動機構と、自動販売機本体に設けられ駆動機構を制御する制御部と、制御部を自動販売機外部から遠隔制御するための受信部と、受信部に自動販売機本体の外部から制御信号を送出するリモートコントローラーとを備え、自動販売機本体には非接触式受電部、リモートコントローラーには非接触式受電部に対応する非接触式給電部をそれぞれ設け、非接触式受電部と非接触式給電部とは電磁誘導結合させ、リモートコントローラーに設けられた電池から非接触給電部を介して非接触式受電部に非接触式に電力を供給し得るようにすることができる。
【０００７】
また本発明においては、扉に取り付け上下方向に摺動可能なスライダーと、自動販売機本体に固定されスライダーと係合してスライダーを固定し得るスライダーロック片と、スライダーに連結されスライダーを上下方向に移動し得る駆動機構と、自動販売機本体に設けられ駆動機構を制御する制御部と、制御部を自動販売機外部から遠隔制御するための受信部と、受信部に自動販売機本体の外部から制御信号を送出するリモートコントローラーとを備え、自動販売機本体には非接触式受電部、リモートコントローラーには非接触式受電部に対応する非接触式給電部をそれぞれ設け、非接触式受電部と非接触式給電部とは電磁誘導結合させ、リモートコントローラーに設けられた電池から非接触給電部を介して非接触式受電部に非接触式に電力を供給し得るようにすることができる。
【０００８】
【実施例】
次に本発明の実施例を図面について説明する。
【０００９】
図１は本発明の実施例を示し、ａは構成配置図、ｂは正面図を示し、図３と同等部分には同符号を付してある。１は自動販売機本体で、内部に制御部１２を有する。この制御部１２は通常は電源１３から給電され、自動販売機全体の販売制御を行うもので、通常のようにコイン識別機、紙幣識別機、商品選択ボタン、商品搬出機構等に対する制御を行う点で従来のものと同様である。制御部１２には図３に示すような自動販売機扉のスライダー又はスライダーの操作ハンドルを駆動するための駆動機構７が接続され、制御部１２からの制御信号により駆動機構７が作動せしめられ、スライダーが上下せしめられるか、操作ハンドルのポップアップが行われる。１４は受信部で自動販売機補正の表面に露出するように設けられ、制御部１２に接続されて制御部１２から給電され、また制御部分２へ制御信号を送る。１５は非接触式受電部で制御部１２に接続され、停電時の受電端子を形成する。１６はリモートコントローラーで、送信部１７、電池１８、非接触式給電部１９を備え、自動販売機の扉操作のための制御信号を自動販売機の受信部１４を介して制御部１２に送出すると共に、電源１３の停電時には非接触式給電部１９を介して自動販売機本体１の非接触式受電部１５に非接触式に給電を行い、制御部１２を作動し得るようにする。送信部１７と受信部１４とは光式、無線電波式に結合することができ、給電部１９と受電部１５とはそれぞれコイルを備え電磁誘導結合により非接触式に結合され、電力の授受を行うことができる。
【００１０】
図２は給電部１９と受電部１５との回路構成の一例を示す。給電部１９は電池１８に接続されたコンバータ２０、コンバータ２０の出力端に接続された励磁コイル２１とを備え、電池１８の直流電圧をコンバータ２０により高周波電流に変換し、励磁コイル２１に供給して高周波磁界を発生せしめる。受電部１５は受電コイル２２、受電コイル２２の出力端に接続され誘起された電圧を直流電圧に変換する整流回路２３を備え、この整流回路２３の出力端に制御部１２が接続されている。
【００１１】
商用電源１３が健全な場合には自動販売機の制御部１２は電源１３から給電され、扉を開く必要がある場合にはリモートコントローラー１６を操作することにより、その送信部１７を介して自動販売機本体の受信部１４に制御信号が送られ、この制御信号は制御部１２に達し、制御部１２は駆動信号を駆動機構７に送出する。その結果駆動機構７４が作動し、扉の操作ハンドル５が飛出し、この操作ハンドル５を手動操作することにより扉を開くことができる。或は駆動機構７は直接スライダーを作動せしめて扉を開くことができる。今電源１３が停止すると、リモートコントローラー１６から制御信号を発しても制御部１２は動作せず、従って駆動機構７にも駆動信号を送ることができない。この際リモートコントローラー１６の給電部１９を自動販売機の受電部１５に接近せしめると、リモートコントローラー１６の電池１８の直流電圧はコンバータ２０により高周波電流に変換され、励磁コイル２１は高周波磁界を発生せしめ、この高周波磁界により受電コイル２２に電圧が誘起され、整流回路２３により整流されて制御部１２に給電されるから、リモートコントローラー１６から送出された制御信号は制御部１２に伝達され、制御部１２から駆動信号が駆動機構７に送出され、本来の電源が停止しても扉の開閉制御を行うことができる。
【００１２】
なお制御部が故障したときなどに備えて、例えば商品取出口の内部に隠しキーを設けワイヤーで操作ハンドルをポップアップさせるような手段を施すことも可能である。
【００１３】
【発明の効果】
本発明によれば、防犯効果の高いリモートコントローラーにより扉の開閉制御を行う式の扉ロック装置を電源停止時にも操作することができ、電源設備のない倉庫等に保管されている自動販売機の点検時にも対応可能となるものである。
【図面の簡単な説明】
【図１】本発明の実施例の、ａは構成配置図、ｂは正面図である。
【図２】本発明の要部の回路の一例の接続図である。
【図３】従来の自動販売機扉の斜視図である。
【符号の説明】
１  自動販売機本体
２  扉
３  スライダー
４  孔
５  操作ハンドル
６  係合ピン
７  駆動機構
８  保持枠
９  リモートコントローラー
１０  溝
１１  スライダーロック片
１２  制御部
１３  電源
１４  受信部
１５  非接触式受電部
１６  リモートコントローラー
１７  送信部
１８  電池
１９  非接触式給電部
２０  コンバータ
２１  励磁コイル
２２  受電コイル
２３  整流回路
【図１】
0003821268.tif 000002
【図２】
0003821268.tif 000003
【図３】
0003821268.tif 000004